(57)【特許請求の範囲】
【請求項１】
ワイヤハーネスを構成する電線群の外周面に沿って長さ方向に固定して、ワイヤハーネスの方向規制および角度規制を行う樹脂棒であって、
直線状のロッド部の少なくとも両端に、一部が開口した円環状で可撓性を有する取付部を設け、該取付部の上記開口両端を開いて、ワイヤハーネスの長さ方向と直交する側方から電線群に外嵌して取り付ける構成としていることを特徴とするワイヤハーネス規制用樹脂棒。
【請求項２】
上記取付部の上記開口角度は１８０度以下であって、かつ、開口の両端に外方向への屈曲部を設け、ワイヤハーネスの電線群への取付時に上記屈曲部が上記開口を閉鎖方向へ付勢する構成としている請求項１に記載のワイヤハーネス規制用樹脂棒。
【請求項３】
上記取付部の開口と反対側の頂点部に上記ロッドを連結している請求項１または請求項２に記載のワイヤハーネス規制用樹脂棒。
【請求項４】
上記ロッドを複数本として、これらロッドを両側の円環状の取付部に対して間隔をあけて固定している請求項１または請求項２に記載のワイヤハーネス規制用樹脂棒。
【請求項５】
上記ロッド部を分割して、長さ調節自在に連結している請求項１乃至請求項４のいずれか１項に記載のワイヤハーネス規制用樹脂棒。
【発明の詳細な説明】
【０００１】
【発明の属する技術分野】
本発明はワイヤハーネス規制用樹脂棒に関し、詳しくは、自動車の車体に沿って配索するワイヤハーネスの電線群の外面に沿って取り付け、ワイヤハーネスを所要方向および角度に規制する樹脂棒に関するものである。
【０００２】
【従来の技術】
従来、この種の樹脂棒として、図７（Ａ）に示すように丸棒状の樹脂棒１Ａ、（Ｂ）に示すメガネ型断面の樹脂棒１Ｂ等が提供されており、これら樹脂棒１Ａ、１Ｂは図８に示すように、所要の長さに切断した後、ワイヤハーネスＷ／Ｈを構成する電線群Ｗの外面に長さ方向に沿って配置し、テープ２により巻き付けて取り付けている。
【０００３】
上記樹脂棒１Ａ等を電線群Ｗに取り付ける作業は、図８に示すように、作業員が一方の手で樹脂棒１Ａを持って電線群Ｗの外面に沿わせ、この状態で他方の手でテープ２を巻き付けて固定している。
【０００４】
【発明が解決しようとする課題】
上記のように、片手で樹脂棒を持ちながら、片手でテープ巻き作業をするため、樹脂棒の把持が不安定となり、樹脂棒に位置ずれが発生して、組立工程での作業性が悪い問題がある。
【０００５】
また、ワイヤハーネスの径が太い場合に樹脂棒が使用される場合があるが、樹脂棒は通常直径３ｍｍのものが用いられるため、径が太いワイヤハーネスに対しては、直線化の規制力が悪い問題がある。
【０００６】
さらに、樹脂棒は所要の長さで切断して保管されているが、その種類が多くなっており、部品点数の増加を招いている。
【０００７】
さらにまた、テープを長さ方向に巻き付けて樹脂棒を電線群に取り付けているため、リサイクル時に電線群から樹脂棒を取り外す時、テープを剥がしていかなければならず、ワンタッチで樹脂棒の離脱ができず、リサイクル性が悪い問題もある。
【０００８】
本発明は上記した問題に鑑みてなされたもので、テープ巻きを用いることなく樹脂棒をワイヤハーネスを構成する電線群に取り付けることが出来るようにし、かつ、太径のワイヤハーネスに対しても規制力を有する樹脂棒とすることを課題としている。
【０００９】
【課題を解決するための手段】
上記課題を解決するため、本発明は、請求項１で、ワイヤハーネス外周面に沿って長さ方向に固定して、ワイヤハーネスの方向規制および角度規制を行う樹脂棒であって、
直線状のロッド部の少なくとも両端に、一部が開口した円環状で可撓性を有する取付部を設け、該取付部の上記開口両端を開いて、ワイヤハーネスの長さ方向と直交する側方から電線群に外嵌して取り付ける構成としていることを特徴とするワイヤハーネス規制用樹脂棒を提供している。
【００１０】
上記のように、ロッド部の両端に円環状の取付部を設けておくと、該取付部を電線群の側方から押し開いて取り付けるだけで、樹脂棒を電線群に取り付けることができる。よって、テープ巻き作業が必須ではなくなり、片手作業でワンタッチで電線群に取り付けることが出来ると共に、ワンタッチで取り外すこともでき、リサイクル性も向上する。さらに、両端の円環状取付部は可撓性を持たせているため、ワイヤハーネスの径が変わっても、ワイヤハーネスの外周面に圧接状態で外嵌できる。よって、位置ずれや角度ずれの発生を無くすことができると共に、ワイヤハーネスが太径でも直線化規制力を高めることができる。
【００１１】
上記取付部の上記開口角度は１８０度以下であって、かつ、開口の両端に外方向への屈曲部を設け、ワイヤハーネスの電線群への取付時に上記屈曲部が上記開口を閉鎖方向へ付勢する構成とすることが好ましい（請求項２）。該構成とすると、ワイヤハーネスの電線群に対する取付部の取付強度を高めることができる。
【００１２】
上記取付部の開口と反対側の頂点部に上記ロッドを連結している（請求項３）。あるいは、上記ロッドを複数本として、これらロッドを両側の円環状の取付部に対して間隔をあけて固定してもよい（請求項４）。
【００１３】
さらに、上記ロッド部を分割して、長さ調節自在に連結してもよい（請求項５）。他とば、分割端側にネジ部を形成し、これらネジ部を螺合することにより、簡単にロッド部の長さを所要長さに調節できる。よって、長さの相違する樹脂棒を多種類用意しておく必要がなくなり、部品点数の削減を図ることができる。
【００１４】
【発明の実施の形態】
以下、本発明の実施形態を図面を参照して説明する。
【００１５】
図１および図２は第１実施形態の樹脂棒１０を示し、ポリプロピレン（ＰＰ）で一体成形しており、直線状の丸棒からなるロッド部１１の両端に円環状の取付部１２、１３とからなる。該樹脂棒１０は主として太物ハーネス用で、取付部１２、１３の円環の径を大きくしており、下端に開口１２ａ、１３ａを設け、該開口と反対側の上端頂点に上記ロッド部１１の長さ方向両端を連結している。
【００１６】
上記取付部１２、１３は約３００度の円環形状で、下端に約６０度の開口１２ａ、１３ａを設けており、開口１２ａ、１３ａの各両端に、外方向への屈曲部１２ｂ、１３ｂを設け、ワイヤハーネスの電線群Ｗへの取付時に屈曲部１２ｂ、１３ｂが開口１２ａ、１３ａを閉鎖方向へ付勢している。
【００１７】
取付部１２、１３を上記構成として、開口１２ａ、１３ａを広げて取付部１２，１３を撓ませてワイヤハーネスの電線群Ｗに取り付けることができ、取付後は、開口１２ａ、１３ａが閉じ方向に復帰するようにしている。
【００１８】
上記樹脂棒１０をワイヤハーネスの電線群Ｗに取り付ける場合は、図２に示すように、樹脂棒１０を片手で持って、電線群Ｗの軸直角方向の側方から、両端の取付部１２、１３を開口１２ａ、１３ａより押し付けていくだけで、開口１２ａ、１３ａが開いて電線群Ｗの外周面に圧接状態で外嵌固定する。
【００１９】
このように、樹脂棒１０をワンタッチでワイヤハーネスの電線群Ｗに取り付けることができ、従来必要とされたテープ巻き作業を廃止できる。また、ワイヤハーネスＷ／Ｈの径が相違しても、取付部１２、１３が可撓性を有するため、径の変化に追従でき、ワイヤハーネスの電線群Ｗに固定できる。
【００２０】
図３は第１実施形態の変形例を示し、ロッド部１１が長い場合には、ロッド部１１の長さ方向の中央部にも取付部１５を設けている。さらに、ロッド部１１が長い場合には、取付部の個数を増加させることが好ましい。このように、ロッド部１１が長い場合、間隔をあけて取付部１５を設けることにより、ロッド部１１に撓み等が発生させることなく、ワイヤハーネスの電線群の外周面に確実に接触させて取り付けることができる。
【００２１】
図４は第２実施形態の樹脂棒２０を示す。該樹脂棒２０は両端の取付部２２、２３の間に２本のロッド部２１Ａ、２１Ｂを間隔をあけて連結している。
【００２２】
上記第２実施形態のように２本のロッド部２１Ａ、２１Ｂを設けると、直線化規制力を高めることができ、特に、太径のワイヤハーネスの電線群好適に用いることができる。
【００２３】
図５は第３実施形態の樹脂棒３０を示し、該樹脂棒３０は主として細物ワイヤハーネス用であって、ロッド部３１の両端の取付部３２、３３は楕円状の円環として、その径を小さくして、細物ワイヤハーネスの電線群に好適に取り付けられるようにしている。
【００２４】
上記取付部３２、３３の開口３２ａ、３３ａの両端には２つの絞り３２ｃ、３３ｃを設けた屈折部３２ｂ、３３ｂを設け、開口３２ａ、３３ａの閉じ方向の付勢力を増加させ、細物ワイヤハーネスに対して、取付部３２、３３から離脱することなく、確実に取付られるようにしている。
【００２５】
図６は第４実施形態の樹脂棒４０を示し、該樹脂棒４０はロッド部を２分割して長さ調節可能としている。即ち、一側ロッド部４１は外周面に雄ネジ４１ａを設けている一方、他側ロッド部４５は管状として、その内周面に雌ネジ４５ａを設けており、ロッド４１を４５にネジ込んで伸縮可能に連結している。これらロッド部４１と４５の先端に夫々取付部４２、４３を設けている。
【００２６】
上記樹脂棒４０を用いると、ワイヤハーネスＷ／Ｈの直線化規制部の長さに応じて、樹脂棒４０の長さを調節することができる。よって、長さの異なる樹脂棒を複数種類用意しておく必要がなくなる。
【００２７】
【発明の効果】
以上の説明より明らかなように、本発明によれば、ワイヤハーネスの電線群の側方から樹脂棒の取付部を押し付けると、撓んで開きながら電線群の外周部に圧接した状態で外嵌して固定される。よって、作業員は片手作業で樹脂棒の電線群への取付をワンタッチで行うことができる。
【００２８】
よって、従来必要としたテープ巻き作業を廃止でき、樹脂棒のワイヤハーネスの電線群への取付作業性を大幅に向上させることができる。また、リサイクル時においても、樹脂棒のロッドを引っ張るとワンタッチで取り外すことができ、リサイクル性も向上させることができる。
【００２９】
さらに、両側の取付部をワイヤハーネスの電線群に外嵌固定してロッド部を保持するため、太物ワイヤハーネスに対しても直線化規制力を高めることができる。
【００３０】
また、ロッド部を分割して伸縮自在に連結した構成とすると、長さの相違する樹脂棒を多種類用意しておく必要がなく、樹脂棒の種類を軽減することができ、コストダウンを図ることができる。
【図面の簡単な説明】
【図１】本発明の第１実施形態の斜視図である。
【図２】第１実施形態の樹脂棒の取付方法を示す斜視図である。
【図３】第１実施形態の変形例の斜視図である。
【図４】第２実施形態の斜視図である。
【図５】第３実施形態の斜視図である。
【図６】（Ａ）（Ｂ）は第４実施形態の斜視図である。
【図７】（Ａ）（Ｂ）は従来の樹脂棒を示す斜視図である。
【図８】従来の樹脂棒のワイヤハーネスへの取付方法を示す概略図である。
【符号の説明】
１０、２０、３０、４０  樹脂棒
１１、２１、３１、４１、４５  ロッド部
１２、１３、２２、２３、３２、３３、４２、４３  取付部
Ｗ  ワイヤハーネスの電線群
【図１】
0003562234.tif 000002
【図２】
0003562234.tif 000003
【図３】
0003562234.tif 000004
【図４】
0003562234.tif 000005
【図５】
0003562234.tif 000006
【図６】
0003562234.tif 000007
【図７】
0003562234.tif 000008
【図８】
0003562234.tif 000009